(57)【特許請求の範囲】
【請求項１】
少なくとも車両情報を含む所定の画像を表示可能な複数の表示手段を備える車両用表示装置であって、
所定の開始信号の入力に応じて、前記各表示手段は、それぞれ少なくとも１以上のイベントからなる演出アニメーションを互いに連動するように表示し、
前記表示手段として、前記開始信号の入力後に原点検出動作を行う駆動部材を備えない第一の表示手段と、前記駆動部材を備える第二の表示手段と、を備え、
前記第一の表示手段は、前記駆動部材が前記原点検出動作を行う前あるいは前記原点検出動作を行っている間に前記演出アニメーションとして第一の演出アニメーションを開始し、
前記第二の表示手段は、前記原点検出動作の終了後であって、前記第一の演出アニメーションの実行中あるいは実行後に前記演出アニメーションとして前記第一の演出アニメーションと関連性のある第二の演出アニメーションを開始することを特徴とする車両用表示装置。
【請求項２】
前記第一の演出アニメーションは所定のシンボルマークを描画する第一のイベントを少なくとも含み、前記第二の演出アニメーションは前記第一のイベントが終了してから所定時間経過後に前記シンボルマークあるいは前記シンボルマークと関連性のある他のシンボルマークを描画する第二のイベントを少なくとも含むことを特徴とする請求項１に記載の車両用表示装置。
【請求項３】
前記第二の表示手段は、表示光を反射させる反射鏡と、前記駆動部材である前記反射鏡の回転駆動部材と、を備えてなるヘッドアップディスプレイ装置であることを特徴とする請求項１に記載の車両用表示装置。
【請求項４】
前記第一の表示手段の第一の画像表示領域と、前記第二の表示手段の第二の画像表示領域と、が運転者から見て上下、左右あるいは斜め方向に並置されてなることを特徴とする請求項１に記載の車両用表示装置。
【請求項５】
少なくとも車両情報を含む所定の画像を表示可能な複数の表示手段を備える車両用表示装置の表示方法であって、
所定の開始信号の入力に応じて、前記各表示手段は、それぞれ少なくとも１以上のイベントからなる演出アニメーションを互いに連動するように表示し、
前記表示手段として、前記開始信号の入力後に原点検出動作を行う駆動部材を備えない第一の表示手段と、前記駆動部材を備える第二の表示手段と、を備え、
前記第一の表示手段は、前記駆動部材が前記原点検出動作を行う前あるいは前記原点検出動作を行っている間に前記演出アニメーションとして第一の演出アニメーションを開始し、
前記第二の表示手段は、前記原点検出動作の終了後であって、前記第一の演出アニメーションの実行中あるいは実行後に前記演出アニメーションとして前記第一の演出アニメーションと関連性のある第二の演出アニメーションを開始することを特徴とする車両用表示装置の表示方法。
【請求項６】
前記第一の演出アニメーションは所定のシンボルマークを描画する第一のイベントを少なくとも含み、前記第二の演出アニメーションは前記第一のイベントが終了してから所定時間経過後に前記シンボルマークあるいは前記シンボルマークと関連性のある他のシンボルマークを描画する第二のイベントを少なくとも含むことを特徴とする請求項５に記載の車両用表示装置の表示方法。
【請求項７】
前記第二の表示手段は、表示光を反射させる反射鏡と、前記駆動部材である前記反射鏡の回転駆動部材と、を備えてなるヘッドアップディスプレイ装置であることを特徴とする請求項５に記載の車両用表示装置の表示方法。
【請求項８】
前記第一の表示手段の第一の画像表示領域と、前記第二の表示手段の第二の画像表示領域と、が運転者から見て上下、左右あるいは斜め方向に並置されてなることを特徴とする請求項５に記載の車両用表示装置の表示方法。
【発明の詳細な説明】
【技術分野】
【０００１】
本発明は、少なくとも車両情報を含む所定の画像を表示可能な複数の表示手段を備える車両用表示装置及びその表示方法に関するものである。
【背景技術】
【０００２】
従来より、車速、エンジン回転数、水温、残燃料、走行距離や地図情報、誘導情報、車両周辺画像さらにはオーディオ情報等の車両に関する種々の情報（以下、車両情報とも言う）を画像で表示可能な表示手段を複数備える車両用表示装置が知られている。
【０００３】
また、従来技術では、車両のイグニッションスイッチのオン信号やドアオープン信号などの所定の開始信号の入力に応じて通常動作である前記車両情報の表示とは異なる演出動作を行うものが知られている（例えば特許文献１参照）。前述の表示手段にあっては、前記演出動作として所定のメッセージやマークなどを描画する演出アニメーションを表示する。
【先行技術文献】
【特許文献】
【０００４】
【特許文献１】特開２００６−２９０２８４号公報
【発明の開示】
【発明が解決しようとする課題】
【０００５】
しかしながら、従来の方法では、表示手段が複数備えられる場合においては各表示手段が個々に演出動作を行うため、演出動作に統一性がなく、表示手段を用いた演出表現としては商品性を向上させるために更なる改良の余地があった。特に、表示手段には直視型のディスプレイ装置や投影型のディスプレイ装置あるいはヘッドアップディスプレイ装置など種々様々な構成のものが知られているが、例えばヘッドアップディスプレイ装置においては表示光を反射させる反射鏡を回転させるステッピングモータなどの回転駆動部材が備えられており、電源投入後に回転駆動部材を基準となる所定の原点位置に復帰させる原点検出動作を必要とする。したがって、このような表示手段においては他の原点検出動作を要しない表示手段よりも演出動作の開始時期が遅れ、運転者が個々に行われる演出動作にズレを感じて違和感を覚えるという問題点があった。
【０００６】
そこで、本発明は、上述した課題に着目してなされたものであり、複数の表示手段を備える車両用表示装置において、演出動作における表現に斬新さを与え、商品性、デザイン性を向上させることが可能な車両用表示装置及びその表示方法を提供することを目的とするものである。
【課題を解決するための手段】
【０００７】
本発明は、前述の課題を解決するために、少なくとも車両情報を含む所定の画像を表示可能な複数の表示手段を備える車両用表示装置であって、
所定の開始信号の入力に応じて、前記各表示手段は、それぞれ少なくとも１以上のイベントからなる演出アニメーションを互いに連動するように表示し、
前記表示手段として、前記開始信号の入力後に原点検出動作を行う駆動部材を備えない第一の表示手段と、前記駆動部材を備える第二の表示手段と、を備え、
前記第一の表示手段は、前記駆動部材が前記原点検出動作を行う前あるいは前記原点検出動作を行っている間に前記演出アニメーションとして第一の演出アニメーションを開始し、
前記第二の表示手段は、前記原点検出動作の終了後であって、前記第一の演出アニメーションの実行中あるいは実行後に前記演出アニメーションとして前記第一の演出アニメーションと関連性のある第二の演出アニメーションを開始することを特徴とする。
【０００９】
本発明は、前述の課題を解決するために、少なくとも車両情報を含む所定の画像を表示可能な複数の表示手段を備える車両用表示装置の表示方法であって、
所定の開始信号の入力に応じて、前記各表示手段は、それぞれ少なくとも１以上のイベントからなる演出アニメーションを互いに連動するように表示し、
前記表示手段として、前記開始信号の入力後に原点検出動作を行う駆動部材を備えない第一の表示手段と、前記駆動部材を備える第二の表示手段と、を備え、
前記第一の表示手段は、前記駆動部材が前記原点検出動作を行う前あるいは前記原点検出動作を行っている間に前記演出アニメーションとして第一の演出アニメーションを開始し、
前記第二の表示手段は、前記原点検出動作の終了後であって、前記第一の演出アニメーションの実行中あるいは実行後に前記演出アニメーションとして前記第一の演出アニメーションと関連性のある第二の演出アニメーションを開始することを特徴とする。
【発明の効果】
【００１１】
本発明は、複数の表示手段を備える車両用表示装置において、より演出動作における表現に斬新さを与え、商品性、デザイン性を向上させることが可能となる。
【図面の簡単な説明】
【００１２】
【図１】本発明の実施形態である車両用表示装置の概観を示す図。
【図２】同上車両用表示装置における背面投影型のディスプレイ装置を概観を示す図。
【図３】同上車両用表示装置におけるヘッドアップディスプレイ装置を示す要部断面図。
【図４】同上車両用表示装置の電気的構成を示す図。
【図５】同上車両用表示装置の演出アニメーション機能における制御方法を示すタイムチャート図。
【図６】同上車両用表示装置の演出アニメーション機能における表示例を示す図。
【発明を実施するための形態】
【００１３】
以下、本発明を適用した実施形態を添付図面に基づいて説明する。
【００１４】
図１を用いて本実施形態である車両用表示装置Ａの全体構成を説明する。車両用表示装置Ａは、表示手段として背面投影型のディスプレイ装置（第一の表示手段）１００と、ヘッドアップディスプレイ装置（第二の表示手段）２００と、を備える。
【００１５】
背面投影型のディスプレイ装置１００は、車両ＣのインパネＣ１内部に配設され、後述するプロジェクタ１１０が発した表示光Ｌ１をインパネＣ１に設けられる開口部に配置される後述するスクリーン１４０に投影して表示画像Ｖ１を表示するものである。
【００１６】
図２に示すように、ディスプレイ装置１００は、プロジェクタ（投射表示器）１１０と、第１のミラー１２０と、第２のミラー１３０と、スクリーン（被投影部材）１４０と、から主に構成されている。なお各部材１１０〜１４０はハウジング（図示しない）に収容される。
【００１７】
プロジェクタ１１０は、表示画像Ｖ１を示す表示光Ｌ１をスクリーン１４０に向けて出射するものであり、例えば光源からの光を液晶パネルを透過させて表示光を形成する液晶プロジェクタからなる。
【００１８】
第１、第２のミラー１２０、１３０は、例えばポリカーボネートなどの樹脂材料に例えばアルミニウムなどの金属を蒸着させて反射面を形成してなる反射部材である。プロジェクタ１１０から出射された表示光Ｌ１は、第１、第２のミラー１２０、１３０を反射し、スクリーン１４０に投影される。
【００１９】
スクリーン１４０は、プロジェクタ１１０から出射された表示光Ｌ１が投影されて表示画像Ｖ１を表示する（映し出す）ものである。スクリーン１４０は、表示光Ｌ１を透過して表示画像Ｖ１を表示する透過スクリーンである。なお、ディスプレイ装置１００を反射型とし、スクリーン１４０として表示光Ｌ１を反射して表示画像Ｖ１を表示する反射スクリーンを適用してもよい。
【００２０】
図１に戻って、ヘッドアップディスプレイ装置２００は、車両ＣのインパネＣ１内部に配設され、後述する液晶表示器２１０が発する表示光Ｌ２をフロントガラス（投射部材）Ｃ２を介して反射させて運転者（観察者）Ｄのアイボックスに導いて表示画像Ｖ２を虚像として表示するものである。運転者Ｄは表示光Ｌ２による表示画像Ｖ２を風景に重畳させて視認することができる。
【００２１】
図３に示すように、ヘッドアップディスプレイ装置２００は、液晶表示器２１０と、この液晶表示器２１０が発した表示光Ｌ２を反射させる反射鏡２２０と、この反射鏡２２０を回動させるステッピングモータ（回転駆動部材）２３０とをハウジング２４０に収容してなる。ステッピングモータ２３０の回動軸には歯車２５０が取付けられており、この歯車２５０は、反射鏡２２０を保持する保持部材２６０に固定された歯車部２７０に噛み合わされている。
【００２２】
次に、図４を用いて車両用表示装置Ａの電気的構成について説明する。図４は車両用表示装置Ａの電気的構成を示すブロック図である。車両用表示装置Ａは、ディスプレイ装置１００と、ヘッドアップディスプレイ装置２００と、車両情報取得手段３００と、ＩＧＮ（イグニッション）検出手段４００と、制御手段５００と、から主に構成されている。
【００２３】
車両情報取得手段３００は、外部から各種の車両情報を取得するものであり、車速パルスあるいはＴＡ（エンジン回転）パルスや、水温、残燃料を検出する各種センサあるいはＥＣＵ、さらにはナビゲーション装置、車両周辺撮像カメラ、オーディオ装置などの外部機器から車速、エンジン回転数、水温、残燃料、走行距離や地図情報、誘導情報、車両周辺画像さらにはオーディオ情報等の種々の車両情報を取得する。
【００２４】
ＩＧＮ検出手段４００は、車両３００のＩＧＮスイッチ６００のオフ状態からオン状態への移行及びオン状態からオフ状態への移行を検出するもので、ＩＧＮスイッチ６００のオン状態への移行あるいはオフ状態への移行を検出すると、制御手段５００へそれぞれ検出信号を出力する。なお、ＩＧＮスイッチ６００のオン状態への移行とは、ＩＧＮスイッチ６００のオフ状態からアクセサリー電源のオン状態への移行、あるいはＩＧＮスイッチ６００のオフ状態からエンジンスタートのオン状態への移行、あるいはアクセサリー電源のオン状態からエンジンスタートのオン状態への移行の何れの状態への移行であってもよい。なお、ＩＧＮスイッチ６００は、一端が車両Ｃのバッテリー電源７００へ、他端がＩＧＮ検出手段４００へ接続されている。
【００２５】
制御手段５００は、ＣＰＵ，ＲＯＭ，ＲＡＭ及び入出力インターフェイス等を備えたマイクロコンピュータから構成される。制御手段５００は、車両情報取得手段３００から車両情報データを取得し、前記車両情報データに応じた駆動信号を所定周期でディスプレイ装置１００のプロジェクタ１１０及びヘッドアップディスプレイ装置２００の液晶表示器２１０へ出力し、それぞれ表示画像Ｖ１を示す表示光Ｌ１及び表示画像Ｖ２を示す表示光Ｌ２を出射させるべく発光表示駆動制御をするものである。また、制御手段５００は、所定の開始信号としてＩＧＮ検出手段４００からのＩＧＮスイッチ６００のオンなる検出信号（オン信号）を入力した場合に、ディスプレイ装置１００及びヘッドアップディスプレイ装置２００に通常動作である前記車両情報の表示とは異なる演出アニメーションとして、それぞれ後述する第一、第二の演出アニメーションを連動して表示させるための後で詳述する演出アニメーション機能を有している。また、制御手段５００は、ＩＧＮ検出手段４００からのＩＧＮスイッチ６００のオン信号を入力した場合、即ち電源が投入された場合に、ヘッドアップディスプレイ装置２００のステッピングモータ２３０に所定の駆動信号を出力し、ステッピングモータ２３０を所定の原点位置に復帰させる原点検出動作をさせる原点検出機能を有する。なお、制御手段５００は単一の制御手段に限定されず、複数の制御手段からなる構成であってもよい。
【００２６】
以上の各部によって車両用表示装置Ａが構成されている。次に、図５及び図６を用いて車両用表示装置Ａにおける演出アニメーション機能について説明する。
【００２７】
図５は、前記演出アニメーション機能におけるディスプレイ装置１００及びヘッドアップディスプレイ装置２００の制御方法を示すタイミングチャート図であり、図６は、演出アニメーションにおけるディスプレイ装置１００及びヘッドアップディスプレイ装置２００の表示例を示すものである。ディスプレイ装置１００の第一の画像表示領域Ｒ１とヘッドアップディスプレイ装置２００の第二の画像表示領域Ｒ２とは、運転者Ｄから見て上下方向に並置されている。なお、第一、第二の画像表示領域Ｒ１、Ｒ２は、運転者Ｄから見て左右あるいは斜め方向に並置されてもよい。
【００２８】
制御手段５００は、ＩＧＮ検出手段４００からのＩＧＮスイッチ６００のオン信号を入力すると、ヘッドアップディスプレイ装置２００のステッピングモータ２３０に駆動信号を出力し、原点検出動作Ｇを開始させる。なお、本実施形態においてはステッピングモータ２３０はＩＧＮスイッチ６００がオフ状態に移行した場合、即ち電源がオフとなったときに、反射鏡２２０を太陽光が液晶表示器２１０方向へ反射されない角度に向ける角度位置（以下、電源オフ位置とも言う）に回転駆動し、原点検出動作Ｇとして電源オフ位置から反射鏡２２０を表示光Ｌ２を運転者Ｄのアイボックスに向けて反射可能な基準角度に向ける角度位置である前記原点位置に復帰するように回転駆動する。なお、電源オフ時の回転駆動は行わなくても良い。
【００２９】
また、制御手段５００は、ヘッドアップディスプレイ装置２００のステッピングモータ２３０が原点検出動作Ｇを開始するのと同時に、ディスプレイ装置１００のプロジェクタ１１０に前記第一の演出アニメーションを開始させる。なお前記第一の演出アニメーションの開始は、ステッピングモータ２３０が原点検出動作Ｇを行う前であってもよい。前記第一の演出アニメーションは、所定の文字やマークの描画からなる少なくとも１以上のイベントを含むものであり、本実施形態においては後述する第一、第三のイベントＥ１、Ｅ３を含む。なお、本実施形態においては最初のイベントにおける文字等の描画を開始した時点を「演出アニメーションの開始」とし、最後のイベントにおいて描画された文字等が消された時点を「演出アニメーションの終了」とする。プロジェクタ１１０は、前記第一の演出アニメーションにおいて、まず第一のイベントＥ１の描画を開始する（第一の演出アニメーションの開始）。第一のイベントＥ１において、プロジェクタ１１０は、「ＮＳ」の文字からなるシンボルマークＳ１を徐々に所定サイズまで縮小するように描画し（図６（ａ）から（ｂ））、その後画像領域Ｒ１の上方向すなわちヘッドアップディスプレイ装置２００の画像領域Ｒ２方向に瞬時にスライドアウトさせて消去する（図６（ｂ）から（ｃ））。シンボルマークＳ１が消去されると第一のイベントＥ１が終了する。なお、シンボルマークＳ１は、メーカーの標章であるものとする。
【００３０】
図５に戻って、制御手段５００は、ヘッドアップディスプレイ装置２００のステッピングモータ２３０が原点検出動作Ｇの終了した後であって、第一のイベントＥ１の終了から時間Ｔ１が経過した後に、ヘッドアップディスプレイ装置２００の液晶表示器２１０に前記第二の演出アニメーションを開始させる。なお、前記第二の演出アニメーションの開始は前記第一の演出アニメーションの終了後でもよい。前記第二の演出アニメーションは、前記第一の演出アニメーションと関連性を有する演出アニメーションであって、所定の文字やマークの描画からなる少なくとも１以上のイベントを含み、本実施形態においては後述する第二のイベントＥ２を含む。液晶表示器２１０は、前記第二の演出アニメーションにおいて、第二のイベントＥ２の描画を開始する（第二の演出アニメーションの開始）。第二のイベントにおいて、液晶表示器２１０は、プロジェクタ１１０に第一のイベントとして描画されたと同様の「ＮＳ」の文字からなるシンボルマークＳ１を徐々に拡大するように描画し（図６（ｄ）から（ｅ））、その後徐々に消去する（図６（ｅ）から（ｆ））。シンボルマークＳ１が消去されると第二のイベントＥ２が終了する（第二の演出アニメーションの終了）。ディスプレイ装置１００の第一の画像表示領域Ｒ１に描画されたシンボルマークＳ１を、第一の画像表示領域Ｒ１から第二の画像表示領域Ｒ２に向けて消去し、所定時間Ｔ１経過後にヘッドアップディスプレイ装置２００の第二の画像表示領域Ｒ２に表示させることで、シンボルマークＳ１が第一の表示領域Ｒ１から空間を隔てて並置される第二の画像表示領域Ｒ２に瞬間移動したような斬新は表現が得られる。なお、「第一の演出アニメーションと関連性を有する演出アニメーション」としては、運転者Ｄが前記第一の演出アニメーションと合わせて見た場合に１つの統一された表現がなされてると感じられるものであり、具体的には前記第一の演出アニメーションにおいて先に描画される第一のイベントＥ１におけるシンボルマークＳ１と同一のシンボルマークあるいは関連性のある他のシンボルマークを描画するイベントを含むものである。本実施形態においては、前記第二の演出アニメーションは、第二のイベントＥ２において第一のイベントＥ１と同一のシンボルマークＳ１を描画することで前記第一の演出アニメーションと関連性を有している。「同一のシンボルマーク」とはサイズや色が異なる場合や同一と認識できる程度の部分的な変形がなされたシンボルマークも含む。また、「シンボルマークと関連性のある他のシンボルマーク」とは、先に描画されるシンボルマークと合わせて１つの表現を構成するものであり、例えば先に描画されるシンボルマークとして「Ｗｅｌｃｏｍｅ」なる文字が描画される場合は、「Ｔｏｄａｙ  ｉｓ  Ｙｏｕｒ  Ｂｉｒｔｈｄａｙ！」なる文字などの１つの表現（挨拶）を構成するシンボルマークがこれに該当する。また、先に描画されるシンボルマークがメーカーや車種を表す標章である場合は、そのメーカーのブランドコンセプトや企業理念を表す文字などの１つの表現（ブランドイメージ）を構成するシンボルマークがこれに該当する。
【００３１】
また、図５に戻って、ディスプレイ装置１００のプロジェクタ１１０は、第一のイベントＥ１の終了から時間Ｔ２（Ｔ２＞Ｔ１）が経過した後に、前記第１の演出アニメーションにおいて、第３のイベントＥ３の描画を開始する。第三のイベントＥ３において、プロジェクタ１１０は、「Ｙｏｕｒ  ｓａｆｅｔｙ，  Ｏｕｒ  ｄｅｌｉｇｈｔ」の文字からなるシンボルマークＳ２を徐々に描画し、その後徐々に消去する（図６（ｅ）から（ｆ））。シンボルマークＳ２が消去されると第三のイベントＥ３が終了する（第一の演出アニメーションの終了）。第三のイベントＥ３の終了（第一の演出アニメーションの終了）は、第二のイベントＥ２の終了と同時である。なお、シンボルマークＳ２は、メーカーの企業理念であるとする。ディスプレイ装置１００とヘッドアップディスプレイ装置２００とで、同一のシンボルマークＳ１あるいは関連性を有するシンボルマークＳ２を交互に描画することで、演出の統一感を更に増すことができる。また、前記第一、第二の演出アニメーションの終了を同期させることで、演出の統一感を更に増すことができる。
【００３２】
制御手段５００は、第一、第二の演出アニメーションが終了すると、ディスプレイ装置１００のプロジェクタ１１０とヘッドアップディスプレイ装置２００の液晶表示器２１０とに通常動作である前記車両情報の表示をさせる。
【００３３】
かかる車両用表示装置Ａ及びその表示方法は、少なくとも前記車両情報を含む所定の画像を表示可能な複数の表示手段としてディスプレイ装置１００及びヘッドアップディスプレイ装置２００を備え、所定の開始信号の入力に応じて、ディスプレイ装置１００及びヘッドアップディスプレイ装置２００が、それぞれ少なくとも１以上のイベントからなる前記第一、第二の演出アニメーションを互いに連動するように表示するものである。従来は個々に行われていた演出アニメーションの各イベントを連動して表示することによって、複数の画像表示領域Ｒ１、Ｒ２を用いた統一感のある演出表現を実現することができ、演出表現に斬新さを与え、商品性、デザイン性を向上させることが可能となる。
【００３４】
また、車両用表示装置Ａ及びその表示方法において、ディスプレイ装置１００は、ヘッドアップディスプレイ装置２００のステッピングモータ２３０が原点検出動作Ｇを行う前あるいは原点検出動作Ｇを行っている間に前記第一の演出アニメーションを開始し、ヘッドアップディスプレイ装置２００は、原点検出動作Ｇの終了後であって、前記第一の演出アニメーションの実行中あるいは実行後に前記第一の演出アニメーションと関連性のある前記第二の演出アニメーションを開始するものである。表示可能時期が早いディスプレイ装置１００に先に前記第一の演出アニメーションを開始させ、その後原点検出動作Ｇによって表示可能時期が遅いヘッドアップディスプレイ装置２００に先に描画される前記第一の演出アニメーションと関連性のある前記第二の演出アニメーションを開始させることによって、複数の画像表示領域Ｒ１、Ｒ２を用いた統一感のある演出表現を実現するとともに、表示可能時期の差を統一感のある演出表現に違和感なく取り込むことができ、商品性、デザイン性を向上させることが可能となる。
【００３５】
また、前記第一の演出アニメーションは所定のシンボルマークＳ１を描画する第一のイベントＥ１を少なくとも含み、前記第二の演出アニメーションは第一のイベントＥ１が終了してから所定時間Ｔ１経過後にシンボルマークＳ１あるいはシンボルマークＳ１と関連性のある他のシンボルマークを描画する第二のイベントを少なくとも含む。これにより、同一あるいは関連するシンボルマークを時列的に描画することで前記第一の演出アニメーションと前記第二の演出アニメーションとが関連性を有することができ、運転者に演出動作に違和感を感じさせることがなく、商品性、デザイン性を向上させることが可能となる。
【００３６】
また、ディスプレイ装置１００の第一の画像表示領域Ｒ１と、ヘッドアップディスプレイ装置２００の第二の画像表示領域Ｒ２と、は、運転者Ｄから見て上下、左右あるいは斜め方向に並置されてなる。これにより、運転者Ｄは互いに連動した前記第一、第二の演出アニメーションを行う第一、第二の画像表示領域Ｒ１、Ｒ２を同時に視野に入れることで統一感のある演出動作を十分に視認することができ、商品性、デザイン性を向上させることができる。
【００３７】
なお、本発明は、本実施形態に限定されるものではなく、その技術的範囲内において種々の変更が可能であることは言うまでもなく、例えば表示手段は背面投影型のディスプレイ装置１００及びヘッドアップディスプレイ装置２００に限られず、液晶ディスプレイ装置や有機ＥＬディスプレイ装置など直視型のディスプレイ装置も適用可能である。また表示手段は３つ以上備えられても良い。また、開始信号の入力後に原点検出動作を行う駆動部材を備える第二の表示手段は、ヘッドアップディスプレイ装置２００には限定されず、表示器を上下にスライド移動させる駆動部材を備え、駆動部材が開始信号の入力後に表示器が所定の位置となるような原点位置に復帰する原点検出動作を行う直視型のディスプレイ装置や表示器の角度を調整する駆動部材を備え、駆動部材が開始信号の入力後に表示器が所定の角度位置となるような原点位置に復帰する原点検出動作を行う直視型のディスプレイ装置などであってもよい。また、開始信号として、ドアオープン信号の入力やＩＧＮスイッチ６００のオフなる信号（オフ信号）の入力に応じて演出アニメーションを表示するものであってもよい。
【産業上の利用可能性】
【００３８】
本発明は、複数の表示手段を備える車両用表示装置及びその表示方法に好適である。
【符号の説明】
【００３９】
Ａ  車両用表示装置
Ｅ１  第一のイベント
Ｅ２  第二のイベント
Ｅ３  第三のイベント
Ｇ  原点検出動作
Ｓ１  シンボルマーク
Ｓ２  シンボルマーク
１００  ディスプレイ装置（第一の表示手段）
１１０  プロジェクタ
１２０  第１のミラー
１３０  第２のミラー
１４０  スクリーン
２００  ヘッドアップディスプレイ装置（第二の表示手段）
２１０  液晶表示器
２２０  反射鏡
２３０  ステッピングモータ（回転駆動部材）
３００  車両情報取得手段
４００  ＩＧＮ検出手段
５００  制御手段
【図１】
0005757410.tif 000002
【図２】
0005757410.tif 000003
【図３】
0005757410.tif 000004
【図４】
0005757410.tif 000005
【図５】
0005757410.tif 000006
【図６】
0005757410.tif 000007